(57)【要約】 【課題】  画像データの編集時に、画像データ（素材）の合否判断を行う工程を短縮することができ、画像データの編集に係る作業時間を短縮することができる録画装置、撮像装置および録画方法を提供する。【解決手段】  撮影時に、時間管理部２３は、各シーンの撮影開始から１分が経過した時点において、情報生成部２４に対して、画像データを特定するための画像特定情報の生成を指示する。この指示を受けた情報生成部２４は、画像特定情報を生成し、主制御部２１へ出力する。主制御部２１は、画像データを記録媒体２０に記録すると共に、この画像データに関連付けられた画像特定情報を記録媒体２０に記録する。また、編集時に主制御部２１は、画像特定情報に関連付けられた画像データを記録媒体２０から読み出し、インターフェース部２２を介して編集装置３へ出力する。【選択図】    図１
2005323276.tif 000002
【特許請求の範囲】
【請求項１】
映像データを構成する、連続した複数の画像データを記録する録画装置において、
前記複数の画像データを記憶する記憶手段と、
前記複数の画像データにおける一部の画像データを特定する画像特定情報を生成する情報生成手段と、
前記情報生成手段によって生成された前記画像特定情報を前記記憶手段に書き込む書込手段と、
前記画像データを編集するために、前記記憶手段に記録された前記画像特定情報に関連付けられた前記画像データを前記記憶手段から読み出す読出手段と、
前記画像データを編集する編集手段へ、前記読出手段によって読み出された前記画像データを出力する出力手段と、
を具備することを特徴とする録画装置。
【請求項２】
前記情報生成手段は、撮像手段によって前記画像データが生成され、該画像データが前記記憶手段に記録される場合に、前記画像特定情報を生成することを特徴とする請求項１に記載の録画装置。
【請求項３】
前記読出手段はさらに、前記画像データを再生するために、前記記憶手段に記録された前記画像データを前記記憶手段から読み出し、
前記出力手段はさらに、前記画像データに基づいて画像を表示する表示手段へ、前記読出手段によって読み出された前記画像データを出力し、
前記情報生成手段は、前記画像データが前記表示手段へ出力された場合に、前記画像特定情報を生成する
ことを特徴とする請求項１に記載の録画装置。
【請求項４】
前記情報生成手段は、撮像手段が具備する撮像レンズの焦点距離、絞り、倍率、または向きが変化した場合に、前記画像特定情報を生成することを特徴とする請求項１または請求項２に記載の録画装置。
【請求項５】
ユーザによって操作される操作手段をさらに具備し、
前記情報生成手段は、前記ユーザによる前記操作手段の操作結果に基づいて、前記画像特定情報を生成することを特徴とする請求項１〜請求項３のいずれかの項に記載の録画装置。
【請求項６】
前記読出手段は、前記画像データを編集するために、前記記憶手段に記録された前記複数の画像データの中から、前記画像特定情報に関連付けられた前記画像データを含む複数の画像データからなる画像を時間軸方向に間引いて、間引いた後の画像を構成する前記画像データを前記記憶手段から読み出すことを特徴とする請求項１〜請求項５のいずれかの項に記載の録画装置。
【請求項７】
映像データを構成する、連続した複数の画像データを記録する録画装置において、
前記複数の画像データを記憶する記憶手段と、
前記複数の画像データの一部または全部の各画像データの評価を示す画像評価情報を生成する情報生成手段と、
前記情報生成手段によって生成された前記画像評価情報を前記記憶手段に書き込む書込手段と、
前記画像データを編集するために、前記記憶手段に記録された前記画像評価情報に関連付けられた前記画像データを前記記憶手段から読み出す読出手段と、
前記画像データを編集する編集手段へ、前記読出手段によって読み出された前記画像データを出力する出力手段と、
を具備することを特徴とする録画装置。
【請求項８】
前記情報生成手段は、撮像手段によって前記画像データが生成され、該画像データが前記記憶手段に記録される場合に、前記画像評価情報を生成することを特徴とする請求項７に記載の録画装置。
【請求項９】
前記読出手段はさらに、前記画像データを再生するために、前記記憶手段に記録された前記画像データを前記記憶手段から読み出し、
前記出力手段はさらに、前記画像データに基づいて画像を表示する表示手段へ、前記読出手段によって読み出された前記画像データを出力し、
前記情報生成手段は、前記画像データが前記表示手段へ出力された場合に、前記画像評価情報を生成する
ことを特徴とする請求項７に記載の録画装置。
【請求項１０】
ユーザによって操作され、該ユーザによって前記画像データの評価結果が入力される操作手段をさらに具備し、
前記情報生成手段は、前記ユーザによって前記操作手段から入力された前記評価結果に基づいて、前記画像評価情報を生成する
ことを特徴とする請求項７〜請求項９のいずれかの項に記載の録画装置。
【請求項１１】
前記画像データの評価を行う画像評価手段をさらに具備し、
前記情報生成手段は、前記画像評価手段による前記画像データの評価に基づいて、前記画像評価情報を生成する
ことを特徴とする請求項７〜請求項９のいずれかの項に記載の録画装置。
【請求項１２】
前記読出手段は、前記画像データを編集するために、前記記憶手段に記録された前記複数の画像データの中から、前記画像評価情報に関連付けられた複数の画像データからなる画像を時間軸方向に間引いて、間引いた後の画像を構成する前記画像データを前記記憶手段から読み出すことを特徴とする請求項７〜請求項１１のいずれかの項に記載の録画装置。
【請求項１３】
前記出力手段は、前記読出手段によって読み出された前記画像データを、無線によって前記編集手段へ出力することを特徴とする請求項１〜請求項１２のいずれかの項に記載の録画装置。
【請求項１４】
前記記憶手段は、着脱可能な複数の記録媒体であり、前記画像データの記録または編集が行われている間に、前記画像データに関する処理が行われていない前記記録媒体の取り外しが可能であることを特徴とする請求項１〜請求項１３のいずれかの項に記載の録画装置。
【請求項１５】
請求項１〜請求項１４のいずれかの項に記載の録画装置と、前記画像データを生成する撮像手段とを具備することを特徴とする撮像装置。
【請求項１６】
映像データを構成する、連続した複数の画像データを記録する録画方法において、
前記複数の画像データにおける一部の画像データを特定する画像特定情報を生成するステップと、
生成した前記画像特定情報を記憶手段に書き込むステップと、
前記画像データを編集するために、前記記憶手段に記録された前記画像特定情報に関連付けられた前記画像データを前記記憶手段から読み出すステップと、
前記画像データを編集する編集手段へ、読み出した前記画像データを出力するステップと、
を具備することを特徴とする録画方法。
【請求項１７】
前記画像特定情報を生成するステップにおいては、撮像手段によって前記画像データが生成され、該画像データが前記記憶手段に記録される場合に、前記画像特定情報を生成することを特徴とする請求項１６に記載の録画方法。
【請求項１８】
前記画像特定情報を生成するステップにおいては、前記画像データを再生するために、前記記憶手段に記録された前記画像データを前記記憶手段から読み出し、前記画像データに基づいて画像を表示する表示手段へ、読み出した前記画像データを出力した場合に、前記画像特定情報を生成することを特徴とする請求項１６に記載の録画方法。
【請求項１９】
前記画像特定情報を生成するステップにおいては、前記画像データを生成する撮像手段が具備する撮像レンズの焦点距離、絞り、倍率、または向きの変化が検出された場合に、前記画像特定情報を生成することを特徴とする請求項１６または請求項１７に記載の録画方法。
【請求項２０】
前記画像特定情報を生成するステップにおいては、ユーザによる操作手段の操作結果に基づいて、前記画像特定情報を生成することを特徴とする請求項１６〜請求項１８のいずれかの項に記載の録画方法。
【請求項２１】
前記画像データを前記記憶手段から読み出すステップにおいては、前記画像データを編集するために、前記記憶手段に記録された前記複数の画像データの中から、前記画像特定情報に関連付けられた前記画像データを含む複数の画像データからなる画像を時間軸方向に間引いて、間引いた後の画像を構成する前記画像データを前記記憶手段から読み出すことを特徴とする請求項１６〜請求項２０のいずれかの項に記載の録画方法。
【請求項２２】
映像データを構成する、連続した複数の画像データを記録する録画方法において、
前記複数の画像データの一部または全部の各画像データの評価を示す画像評価情報を生成するステップと、
生成した前記画像評価情報を記憶手段に書き込むステップと、
前記画像データを編集するために、前記記憶手段に記録された前記画像評価情報に関連付けられた前記画像データを前記記憶手段から読み出すステップと、
前記画像データを編集する編集手段へ、読み出した前記画像データを出力するステップと、
を具備することを特徴とする録画方法。
【請求項２３】
前記画像評価情報を生成するステップにおいては、撮像手段によって前記画像データが生成され、該画像データが前記記憶手段に記録される場合に、前記画像評価情報を生成することを特徴とする請求項２２に記載の録画方法。
【請求項２４】
前記画像評価情報を生成するステップにおいては、前記画像データを再生するために、前記記憶手段に記録された前記画像データを前記記憶手段から読み出し、前記画像データに基づいて画像を表示する表示手段へ、読み出した前記画像データを出力した場合に、前記画像評価情報を生成することを特徴とする請求項２２に記載の録画方法。
【請求項２５】
前記画像評価情報を生成するステップにおいては、ユーザによって操作手段から入力された前記画像データの評価結果に基づいて、前記画像評価情報を生成することを特徴とする請求項２２〜請求項２４のいずれかの項に記載の録画方法。
【請求項２６】
前記画像評価情報を生成するステップにおいては、前記画像データの評価を行う画像評価手段による前記画像データの評価に基づいて、前記画像評価情報を生成することを特徴とする請求項２２〜請求項２４のいずれかの項に記載の録画方法。
【請求項２７】
前記画像データを前記記憶手段から読み出すステップにおいては、前記画像データを編集するために、前記記憶手段に記録された前記複数の画像データの中から、前記画像評価情報に関連付けられた複数の画像データからなる画像を時間軸方向に間引いて、間引いた後の画像を構成する前記画像データを前記記憶手段から読み出すことを特徴とする請求項２２〜請求項２６のいずれかの項に記載の録画方法。
【発明の詳細な説明】
【技術分野】
【０００１】
本発明は、撮像手段によって生成された映像データを構成する、連続した複数の画像データを記録する録画装置に関し、特に、記録した画像データの編集を行う際の、ユーザによる作業効率の改善を図った録画装置および録画方法に関する。また、本発明は、この録画装置を備えた撮像装置にも関する。
【背景技術】
【０００２】
動画カメラによって取り込まれた画像を検索する方法として、例えば、特許文献１に記載されているように、時間をキーにして画像情報の生成履歴を記録し、後で画像を取り出すときにそのキーを手がかりに検索する方法がある。これにより、撮影時刻が分かればその時の画像を探すことができる。
【０００３】
また、特許文献２においては、画像の記録と共にインデックス画像を作成し、それを見ながら、記録した画像を検索する方法や、一度取り込んだ画像に対して、そこへのアクセス記録を残しておき、アクセスの少ないものを消去して記録媒体の空きスペースを稼ぐ方法、予め画像のグループ情報を付加しておき、それに基づいて画像を特定して再生する方法が記載されている。この場合には、インデックス画像を見ながら画像を検索するか、撮影時間の順に並べられた画像として画像を検索するか、あるいは最初からロケ状況などの条件が分かっていればグループ分けして画像を保存し、そのグループを手掛かりに画像を検索することが可能になる。
【０００４】
取り込んだ画像を編集装置に移送する方法として、特許文献３には、記録媒体にＲＡＩＤ（Ｒｅｄｕｎｄａｎｔ  Ａｒｒａｙｓ  ｏｆ  Ｉｎｅｘｐｅｎｓｉｖｅ  Ｄｉｓｋｓ）システムを導入し、その記録媒体を録画中でも取り外すことができる、いわゆる、ホットスワップを可能にして、記録媒体を随時補充し、画像の録画が途切れないようにすることが記載されている。これにより、撮影時でも既に撮影済みの部分を納めた記録媒体を取り外して移動させることもできる。
【０００５】
また、特許文献４には、２つのファイルシステムを持つ録画装置が記載されている。この録画装置は、通常の編集で主に使うオペレーティングシステム（ＯＳ）と、そのファイルシステムとは別に、録画時にリアルタイムで取りこぼしが起きないように、記録媒体への直接アドレッシングを可能にしたファイルシステムとそのファイルシステム用のＯＳとを有している。
【特許文献１】特開２００１−７５９９５号公報
【特許文献２】特開平９−４４３９４号公報
【特許文献３】特開平９−２４５４１５号公報
【特許文献４】特開平９−３１９５２３号公報
【発明の開示】
【発明が解決しようとする課題】
【０００６】
高精細カメラによって生成されたデジタル画像データを保存する録画装置においては、記録媒体が膨大な量になる。例えば、ハイビジョン（ＨＤ）映像よりも長さ比が倍である画像は、画素が面積と同様にＨＤの4倍の量になる。したがって、録画装置から画像を読み出して編集作業を行い、その結果を保存する作業においても、処理時間が膨大になってしまう。例えば、映画のロケにおいては、一般に、その日に撮影した画像（素材）が編集後の作品作りにふさわしいか、その日のうちに判断したい。その判断の結果により、翌日は撮影失敗（ＮＧ）部分を撮り直すか、それとも新規の素材の撮影に移るかが決まる。従来の銀塩カメラを用いた撮影においては、撮影したフィルムをその日のうちに現像した後、撮影原版（ネガ）から、上映できるポジフィルムを作成し、試写して同様な作業を行っていた。
【０００７】
デジタルカメラを使った撮影と編集作業においては、銀塩カメラよりも利便性の優位性を確保したいため、撮影した画像の判定を銀塩カメラと同程度かそれ以上にする迅速性が求められている。また、なるべく早く編集作業を終え、録画装置の記録媒体の空き容量を確保することにより、撮影機器、編集機器、およびそれらに付随する記憶媒体等のリソースをできるだけ少なくできれば、機材投資に対して効果的な撮影を行うことができる。
【０００８】
ところが、撮影後に録画装置に収録された全ての画像データに対して編集を行い、それを試写してから撮影画像素材の合否判断をするのでは、非常に時間がかかってしまう。そこで、判断のキーとなる画像だけを取り出して編集を行い、その部分だけを試写して合否判断をする方法が考えられる。一方、編集作業においては、行うべき処理、つまり色補正、露出補正、ガンマ補正などが撮影のシーンや条件ごとに異なるのが一般的である。色補正、露出補正、ガンマ補正などをシーンや条件ごとに区別する、つまりシーンや条件に対して関連付けるためには、手作業でメモなどを作成し、かつ、その情報を画像フレームに対してリンクしておかなければならない。
【０００９】
特許文献１に記載された技術によれば、時間情報を用いて画像情報の生成履歴を記録し、後で画像を取り出すときにその時間情報を手がかりにして画像を検索することができる。しかし、デジタルカメラで撮影され、記録された画像には種々のロケ条件および撮影条件が考えられると共に、撮影時にパターンを変えて撮影した場合などが考えられ、複数のキーとなる撮影フレームを全て手作業でメモなどに記録しなければならない。
【００１０】
色補正等の条件が違う場合には、それらの情報も一緒にメモに記録し、編集時にその情報を見ながら、編集する画像フレームを指定しなければならない。特許文献２に記載された例においても、画像を記録すると共にインデックス画像を作成し、そのインデックス画像を見ながら、記録した画像を検索することはできるが、インデックス画像は元画像よりも小さいか、画像面積的に部分的な画像になっているうえに、撮影時の条件が記録されているわけではないので、やはり、手作業でメモなどに記録することが必要である。
【００１１】
特許文献３に記載された技術においては、記録媒体に ＲＡＩＤシステムを導入し、撮影の途中でも、既に撮影が終わったデータを持ち出すことはできるが、その持ち出された画像の個々のフレームの識別の困難さについては、解決に至っていない。
【００１２】
本発明は、上述した問題点に鑑みてなされたものであって、画像データの編集時に、画像データ（素材）の合否判断を行う工程を短縮することができ、画像データの編集に係る作業時間を短縮することができる録画装置、撮像装置および録画方法を提供することを目的とする。
【課題を解決するための手段】
【００１３】
本発明は上記の課題を解決するためになされたもので、請求項１に記載の発明は、映像データを構成する、連続した複数の画像データを記録する録画装置において、前記複数の画像データを記憶する記憶手段と、前記複数の画像データにおける一部の画像データを特定する画像特定情報を生成する情報生成手段と、前記情報生成手段によって生成された前記画像特定情報を前記記憶手段に書き込む書込手段と、前記画像データを編集するために、前記記憶手段に記録された前記画像特定情報に関連付けられた前記画像データを前記記憶手段から読み出す読出手段と、前記画像データを編集する編集手段へ、前記読出手段によって読み出された前記画像データを出力する出力手段とを具備することを特徴とする録画装置である。
【００１４】
請求項２に記載の発明は、請求項１に記載の録画装置において、前記情報生成手段は、撮像手段によって前記画像データが生成され、該画像データが前記記憶手段に記録される場合に、前記画像特定情報を生成することを特徴とする。
【００１５】
請求項３に記載の発明は、請求項１に記載の録画装置において、前記読出手段はさらに、前記画像データを再生するために、前記記憶手段に記録された前記画像データを前記記憶手段から読み出し、前記出力手段はさらに、前記画像データに基づいて画像を表示する表示手段へ、前記読出手段によって読み出された前記画像データを出力し、前記情報生成手段は、前記画像データが前記表示手段へ出力された場合に、前記画像特定情報を生成することを特徴とする。
【００１６】
請求項４に記載の発明は、請求項１または請求項２に記載の録画装置において、前記情報生成手段は、撮像手段が具備する撮像レンズの焦点距離、絞り、倍率、または向きが変化した場合に、前記画像特定情報を生成することを特徴とする。
【００１７】
請求項５に記載の発明は、請求項１〜請求項３のいずれかの項に記載の録画装置において、ユーザによって操作される操作手段をさらに具備し、前記情報生成手段は、前記ユーザによる前記操作手段の操作結果に基づいて、前記画像特定情報を生成することを特徴とする。
【００１８】
請求項６に記載の発明は、請求項１〜請求項５のいずれかの項に記載の録画装置において、前記読出手段は、前記画像データを編集するために、前記記憶手段に記録された前記複数の画像データの中から、前記画像特定情報に関連付けられた前記画像データを含む複数の画像データからなる画像を時間軸方向に間引いて、間引いた後の画像を構成する前記画像データを前記記憶手段から読み出すことを特徴とする。
【００１９】
請求項７に記載の発明は、映像データを構成する、連続した複数の画像データを記録する録画装置において、前記複数の画像データを記憶する記憶手段と、前記複数の画像データの一部または全部の各画像データの評価を示す画像評価情報を生成する情報生成手段と、前記情報生成手段によって生成された前記画像評価情報を前記記憶手段に書き込む書込手段と、前記画像データを編集するために、前記記憶手段に記録された前記画像評価情報に関連付けられた前記画像データを前記記憶手段から読み出す読出手段と、前記画像データを編集する編集手段へ、前記読出手段によって読み出された前記画像データを出力する出力手段とを具備することを特徴とする録画装置である。
【００２０】
請求項８に記載の発明は、請求項７に記載の録画装置において、前記情報生成手段は、撮像手段によって前記画像データが生成され、該画像データが前記記憶手段に記録される場合に、前記画像評価情報を生成することを特徴とする。
【００２１】
請求項９に記載の発明は、請求項７に記載の録画装置において、前記読出手段はさらに、前記画像データを再生するために、前記記憶手段に記録された前記画像データを前記記憶手段から読み出し、前記出力手段はさらに、前記画像データに基づいて画像を表示する表示手段へ、前記読出手段によって読み出された前記画像データを出力し、前記情報生成手段は、前記画像データが前記表示手段へ出力された場合に、前記画像評価情報を生成することを特徴とする。
【００２２】
請求項１０に記載の発明は、請求項７〜請求項９のいずれかの項に記載の録画装置において、ユーザによって操作され、該ユーザによって前記画像データの評価結果が入力される操作手段をさらに具備し、前記情報生成手段は、前記ユーザによって前記操作手段から入力された前記評価結果に基づいて、前記画像評価情報を生成することを特徴とする。
【００２３】
請求項１１に記載の発明は、請求項７〜請求項９のいずれかの項に記載の録画装置において、前記画像データの評価を行う画像評価手段をさらに具備し、前記情報生成手段は、前記画像評価手段による前記画像データの評価に基づいて、前記画像評価情報を生成することを特徴とする。
【００２４】
請求項１２に記載の発明は、請求項７〜請求項１１のいずれかの項に記載の録画装置において、前記読出手段は、前記画像データを編集するために、前記記憶手段に記録された前記複数の画像データの中から、前記画像評価情報に関連付けられた複数の画像データからなる画像を時間軸方向に間引いて、間引いた後の画像を構成する前記画像データを前記記憶手段から読み出すことを特徴とする。
【００２５】
請求項１３に記載の発明は、請求項１〜請求項１２のいずれかの項に記載の録画装置において、前記出力手段は、前記読出手段によって読み出された前記画像データを、無線によって前記編集手段へ出力することを特徴とする。
【００２６】
請求項１４に記載の発明は、請求項１〜請求項１３のいずれかの項に記載の録画装置において、前記記憶手段は、着脱可能な複数の記録媒体であり、前記画像データの記録または編集が行われている間に、前記画像データに関する処理が行われていない前記記録媒体の取り外しが可能であることを特徴とする。
【００２７】
請求項１５に記載の発明は、請求項１〜請求項１４のいずれかの項に記載の録画装置と、前記画像データを生成する撮像手段とを具備することを特徴とする撮像装置である。
【００２８】
請求項１６に記載の発明は、映像データを構成する、連続した複数の画像データを記録する録画方法において、前記複数の画像データにおける一部の画像データを特定する画像特定情報を生成するステップと、生成した前記画像特定情報を記憶手段に書き込むステップと、前記画像データを編集するために、前記記憶手段に記録された前記画像特定情報に関連付けられた前記画像データを前記記憶手段から読み出すステップと、前記画像データを編集する編集手段へ、読み出した前記画像データを出力するステップとを具備することを特徴とする録画方法である。
【００２９】
請求項１７に記載の発明は、請求項１６に記載の録画方法において、前記画像特定情報を生成するステップにおいては、撮像手段によって前記画像データが生成され、該画像データが前記記憶手段に記録される場合に、前記画像特定情報を生成することを特徴とする。
【００３０】
請求項１８に記載の発明は、請求項１６に記載の録画方法において、前記画像特定情報を生成するステップにおいては、前記画像データを再生するために、前記記憶手段に記録された前記画像データを前記記憶手段から読み出し、前記画像データに基づいて画像を表示する表示手段へ、読み出した前記画像データを出力した場合に、前記画像特定情報を生成することを特徴とする。
【００３１】
請求項１９に記載の発明は、請求項１６または請求項１７に記載の録画方法において、前記画像特定情報を生成するステップにおいては、前記画像データを生成する撮像手段が具備する撮像レンズの焦点距離、絞り、倍率、または向きの変化が検出された場合に、前記画像特定情報を生成することを特徴とする。
【００３２】
請求項２０に記載の発明は、請求項１６〜請求項１８のいずれかの項に記載の録画方法において、前記画像特定情報を生成するステップにおいては、ユーザによる操作手段の操作結果に基づいて、前記画像特定情報を生成することを特徴とする。
【００３３】
請求項２１に記載の発明は、請求項１６〜請求項２０のいずれかの項に記載の録画方法において、前記画像データを前記記憶手段から読み出すステップにおいては、前記画像データを編集するために、前記記憶手段に記録された前記複数の画像データの中から、前記画像特定情報に関連付けられた前記画像データを含む複数の画像データからなる画像を時間軸方向に間引いて、間引いた後の画像を構成する前記画像データを前記記憶手段から読み出すことを特徴とする。
【００３４】
請求項２２に記載の発明は、映像データを構成する、連続した複数の画像データを記録する録画方法において、前記複数の画像データの一部または全部の各画像データの評価を示す画像評価情報を生成するステップと、生成した前記画像評価情報を記憶手段に書き込むステップと、前記画像データを編集するために、前記記憶手段に記録された前記画像評価情報に関連付けられた前記画像データを前記記憶手段から読み出すステップと、前記画像データを編集する編集手段へ、読み出した前記画像データを出力するステップとを具備することを特徴とする録画方法である。
【００３５】
請求項２３に記載の発明は、請求項２２に記載の録画方法において、前記画像評価情報を生成するステップにおいては、撮像手段によって前記画像データが生成され、該画像データが前記記憶手段に記録される場合に、前記画像評価情報を生成することを特徴とする。
【００３６】
請求項２４に記載の発明は、請求項２２に記載の録画方法において、前記画像評価情報を生成するステップにおいては、前記画像データを再生するために、前記記憶手段に記録された前記画像データを前記記憶手段から読み出し、前記画像データに基づいて画像を表示する表示手段へ、読み出した前記画像データを出力した場合に、前記画像評価情報を生成することを特徴とする。
【００３７】
請求項２５に記載の発明は、請求項２２〜請求項２４のいずれかの項に記載の録画方法において、前記画像評価情報を生成するステップにおいては、ユーザによって操作手段から入力された前記画像データの評価結果に基づいて、前記画像評価情報を生成することを特徴とする。
【００３８】
請求項２６に記載の発明は、請求項２２〜請求項２４のいずれかの項に記載の録画方法において、前記画像評価情報を生成するステップにおいては、前記画像データの評価を行う画像評価手段による前記画像データの評価に基づいて、前記画像評価情報を生成することを特徴とする。
【００３９】
請求項２７に記載の発明は、請求項２２〜請求項２６のいずれかの項に記載の録画方法において、前記画像データを前記記憶手段から読み出すステップにおいては、前記画像データを編集するために、前記記憶手段に記録された前記複数の画像データの中から、前記画像評価情報に関連付けられた複数の画像データからなる画像を時間軸方向に間引いて、間引いた後の画像を構成する前記画像データを前記記憶手段から読み出すことを特徴とする。
【発明の効果】
【００４０】
本発明によれば、映像データを構成する複数の画像データの一部の画像データを特定する画像特定情報、または複数の画像データの一部または全部の各画像データの評価を示す画像評価情報を画像データと共に記録し、編集時に、画像特定情報または画像評価情報に関連付けられた画像データを録画装置から読み出して編集するようにしたので、画像データの編集時に、画像データ（素材）の合否判断を行う工程を短縮することができ、画像データの編集に係る作業時間を短縮することができるという効果が得られる。
【発明を実施するための最良の形態】
【００４１】
以下、図面を参照し、本発明を実施するための最良の形態について説明する。図１は、本発明の第１の実施形態による画像録画システムの構成を示すブロック図である。この画像録画システムは、被写体を撮像して画像データを生成するデジタルカメラ１と、デジタルカメラ１によって生成された画像データを記録する録画装置２と、録画装置２に記録された画像データを編集する編集装置３とを具備する。以下、図中の各構成について説明する。
【００４２】
デジタルカメラ１は、動画用デジタルカメラである。デジタルカメラ１において、撮像部１０は、例えばＣＣＤ（Ｃｈａｒｇｅ  Ｃｏｕｐｌｅｄ  Ｄｅｖｉｃｅ）や撮像レンズ等を備えた撮像素子を具備しており、撮像レンズを通して被写体を撮像し、映像データを構成する、連続した複数の画像データを生成し、インターフェース部１２へ順次出力する。状態検出部１１は、デジタルカメラ１による撮影動作の開始および終了を検出し、デジタルカメラ１の状態を示す状態情報を生成すると共に、インターフェース部１２へ出力する。この状態情報は、録画装置２において、複数の撮影シーンの撮影開始および撮影終了を判断するために用いられる。インターフェース部１２は録画装置２のインターフェース部２２と接続されており、撮像部１０から連続的に出力される画像データを順次インターフェース部２２へ出力すると共に、状態検出部１１から出力された状態情報をインターフェース部２２へ出力する。
【００４３】
録画装置２において、記録媒体２０（記憶手段）には、デジタルカメラ１によって生成された画像データが記録される。また、記録媒体２０には、後述する画像特定情報も記録される。主制御部２１（書込手段、読出手段、出力手段）は録画装置２内の各部を制御する。インターフェース部２２（出力手段）はデジタルカメラ１のインターフェース部１２と接続され、デジタルカメラ１から画像データおよび状態情報が入力される。また、インターフェース部２２は、編集装置３のインターフェース部３２と接続されており、画像データの編集時に、画像データの読み出しを指示する読出指示情報が編集装置３から入力され、この指示に従って記録媒体２０から読み出された画像データをインターフェース部３２へ出力する。
【００４４】
時間管理部２３は時間情報を管理する。時間管理部２３はタイマの機能を有しており、情報生成部２４（情報生成手段）に対して、画像特定情報の生成を所定のタイミングで指示する。情報生成部２４は、時間管理部２３から指示を受けた場合に、画像特定情報を生成する。画像特定情報は、デジタルカメラ１から録画装置２へ入力される、連続した複数の画像データにおける特定の画像データの位置を特定するための情報である。この画像特定情報は、編集装置３による画像データの編集時に、どの位置の画像データを記録媒体２０から読み出すのかを決定するために用いられる。本実施形態においては、時間管理部２３は、各シーンの撮影が開始されてから１分が経過した時点において、情報生成部２４に対して、画像特定情報の生成を指示する。
【００４５】
編集装置３において、記録媒体３０には、画像データの編集時に録画装置２から転送され、編集が施された画像データが記録される。制御部３１は編集装置３内の各部を制御する。インターフェース部３２は、録画装置２のインターフェース部２２と接続されており、画像データの編集時に、画像データを読み出すための読出指示情報をインターフェース部２２へ出力し、インターフェース部２２から入力された画像データを制御部３１へ出力する。操作部３３は、ユーザによって操作される操作ボタン等を備えており、画像データの編集に伴う処理の指示がユーザによって入力される。
【００４６】
なお、インターフェース部２２とインターフェース部３２との間の接続に関しては、画像データを転送することができる機能があれば手段を問わない。例えば、ＨＤ−ＳＤＩ、ＬＡＮなど一般的な規格を使用しても構わないし、両者の通信を達成することができれば、独自のインターフェースでも構わない。また、録画装置２が、デジタルカメラ１から出力された画像データを記録するのではなく、映画用銀塩フィルムに収録されたデータをフィルムスキャナによってデジタイズしたものを記録してもよい。
【００４７】
編集装置３に入力される画像データは、最終的にエンドユーザに提供する画像の作品作りに利用されると考えると、画像の「素材」とみなすことができる。編集装置３においては、この「素材」を最終的な作品に仕上げるために、種々の創作行為である編集作業が行われる。例えば、露出オーバー／アンダーを補ったり、色の補正を行ったり、カットごとの画像データの収集、フェードイン／アウト処理などが考えられる。また、意図的に露出アンダー／オーバーにしたり、色味を変えることも考えられる。例えば夕焼けのシーンでは「素材」以上に赤を強調することもある。
【００４８】
これらの作業は、作業者が画像を確認しながら行うが、ある程度処理が決まっている場合や、途中の過程で処理が決定した場合には、例えば、レシピやバッチファイルのように、その処理の工程を予め記述しておき、編集装置３が自動的に行ってもよい。処理によっては、ユーザの手間を介さずに、最初から自動処理を行うことも考えられる。種々の工夫を凝らして作成された画像データは記録媒体３０に収録され、最終的に図示せぬ出力装置へ出力され、ユーザが映写を楽しむことができる。一般的な出力装置としてはデジタルプロジェクタが考えられる。
【００４９】
次に、図１で示される構成の画像録画システムの、映画撮影における実際の使い方について説明する。画像録画システムの詳細な動作は後述することにし、ここでは実際の撮影に対する画像録画システムの適用について概略的な説明を行う。まず、撮影のため、デジタル映画を撮影する場所へデジタルカメラ１と録画装置２を持ち込む。編集は後で行うため、現場に編集装置３は持って行かない。そのため、撮影された画像は全て記録媒体２０に保存されることになる。この日の撮影においては、シーンＡ、シーンＢ、シーンＣという３つのシーンが撮影されるとする。シーンＡは日中の晴天の中の日陰での撮影である。シーンＢは、木の枝でさえずる小鳥のアップ、シーンＣは夕日の中の逆光で女優が砂浜を歩く場面であるとする。各シーンの撮影時間はそれぞれ１５分、２０分、１０分であるとする。
【００５０】
まず、シーンＡの撮影が開始される。デジタルカメラ１から録画装置２へ順次画像データが転送され、保存される。このデジタルカメラ１での画素数がハイビジョンカメラの画素数の長さ比で倍であるとすると、ハイビジョンは１９２０×１０８０画素であるので、３８４０×２１６０画素のデータが毎秒２４フレーム分、入力装置であるデジタルカメラ１から録画装置２に転送されることになる。１画素を構成するバイト数が６バイトであるとすると、このデータを保存するのに、３８４０×２１６０×２４×６＝１．１９４×１０９バイト／秒（≒１．１４ＧＢ／ｓ）の処理速度が必要になる。
【００５１】
この負荷を軽減するために、種々の画素表現の圧縮方法（例えばＹｕｖ利用）や画像圧縮（例えばＪＰＥＧ、ＭＰＥＧ）などを併用することが考えられるが、本実施形態においては、どんな転送方式であってもよい。シーンの撮影が開始してから１分後に、時間管理部２３は、情報生成部２４に対して、画像特定情報の生成を指示し、この指示を受けた情報生成部２４は画像特定情報を生成し、主制御部２１へ出力する。この画像特定情報は、インターフェース部２２から主制御部２１に入力された特定の画像データに対して関連付けられており、その画像データの、全画像データに対する位置を示している。主制御部２１は、画像データおよび画像特定情報を記録媒体２０に記録する。
【００５２】
画像特定情報が示す画像データの位置は、記録媒体２０に記録される画像を古い順に並べた場合の順番を示す画像番号、あるいはフレーム番号であってもよいし、撮影の時刻であってもよい。すなわち、他の画像データと一意に区別できるように記録されていればよい。この画像特定情報とは別に、画像データは続けて記録媒体２０に保存されていく。同様にしてシーンＢ、シーンＣの撮影が行われる。
【００５３】
この結果、記録媒体２０には図２で表されるような画像データと画像特定情報とが記録される。図２においては、記録媒体２０に記録される画像データと画像特定情報との時間的な関連が概略的に示されている。横軸は経過時間を示しており、画像データ３０１はシーンＡ、画像データ３０２はシーンＢ、画像データ３０３はシーンＣにそれぞれ対応した画像データである。
【００５４】
また、画像特定情報４０１は、シーンＡが開始してから１分が経過した時点で記録される画像データを特定する情報であり、シーンＢおよびシーンＣに対応してそれぞれ画像特定情報４０２および画像特定情報４０３も記録されている。各シーンの開始時または終了時には、デジタルカメラ１による撮影動作の開始または終了を示す状態情報が状態検出部１１によって生成され、この状態情報が録画装置２に入力される。これにより、主制御部２１は各シーンの開始および終了を判断する。
【００５５】
撮影を行った日の夜に、撮影した画像が目的の通り正しく撮影できたかどうか、編集と映写（試写）とを行って評価する。シーンＡにおいては、晴天の日陰でのブルーの色カブリが懸念される。シーンＢにおいては、望遠レンズの使用によるピント（合焦）の確認を行わなければならない。シーンＣにおいては、太陽付近の露出オーバーおよび女優の影あたりの露出アンダーが懸案事項となっている。この編集と評価を行う作業においては、デジタルカメラ１は不要のため取り外し、録画装置２と編集装置３とを接続して、画像データが編集装置３に転送できるようにする。
【００５６】
本実施形態においては、画像データの転送手段として、１ＧＢｉｔのＥｔｈｅｒｎｅｔ（登録商標）を使って転送するとする。ここでは転送のオーバヘッドなどの影響も含め、実際の転送レートが０．１１４ＧＢ／ｓｅｃであったとする。つまり、記録レートに換算した画像のデータ量は１．１４ＧＢ／ｓであったため、録画装置２から編集装置３までの転送の速度は、その１／１０であることがわかる。よって、録画装置２から編集装置３までの転送速度は２．４フレーム／秒になる。
【００５７】
編集を行った後に、各シーンの画像データが目的通りの素材であったかどうか、デジタルプロジェクタ等の出力装置で確認を行うが、これらの判定を行う場合に、各シーンで１分程度確認すれば判断を下すことができるものもある。つまり、シーンＡの色カブリ、シーンＢの焦点位置、シーンＣの露出具合を、シーン全体ではなく、時間的にその一部を見ただけでＯＫ、ＮＧの判定ができるとする。その場合、編集装置３では、各シーンごとに画像特定情報によって特定されたフレームから１分間のフレーム、すなわち、２４×６０×１＝１４４０フレームだけが転送されて編集作業が行われる。
【００５８】
本実施形態においては、シーンが３つあったので、１４４０×３＝４３２０フレームだけ取り出して編集し、編集後の画像データを記録媒体３０に保存する。続いて、その画像データをデジタルプロジェクタなどの出力装置によって映写し、シーンＡ、シーンＢ、シーンＣのそれぞれの素材の合否を決定すればよい。この場合の作業時間は、画像データの転送時間が３０分（＝４３２０／２．４／６０）、編集に１フレーム当たり１秒が必要だったとすると、編集時間が７２分（＝４３２０×１／６０）で合計１０２分であり、その時間が経過した時点以降に映写が可能となる。つまり、夕方の撮影が終了した後、休憩を取っている間に編集作業を行い、その後の映写ですぐに素材を確認することができる。
【００５９】
これに対して、従来通りに全ての画像データを編集したとすると、録画装置２から編集装置３への画像データの転送においては、転送速度が２．４フレーム／秒だとすると、映写時間の１０倍の時間がかかるので、各シーンの全フレームの転送時間が４５０分（（１５分＋２０分＋１０分）×１０）、編集作業は１０８０分（（１５＋２０＋１０）×６０×２４×１／６０）、で合計１５３０分、つまり２５．５時間を要することとなり、撮影素材の合否判断をその日に行うことが困難となってしまう。
【００６０】
次に、本実施形態による画像録画システムの動作について詳細に説明する。図３は、画像データの記録時における画像録画システムの動作を示すフローチャートである。図３によって示される動作は各シーンの撮影ごとに繰り返される。各シーンの撮影が開始すると、デジタルカメラ１は撮影動作を開始し、画像データを連続的に生成する。撮像部１０は、映像データを構成する画像データを連続的に生成し、インターフェース部１２へ出力する。また、状態検出部１１は撮影動作の開始を検出し、状態情報を生成すると共に、生成した状態情報をインターフェース部１２へ出力する。
【００６１】
インターフェース部１２は、撮像部１０から出力された１フレーム分の画像データを、録画装置２のインターフェース部２２へ出力すると共に、状態情報をインターフェース部２２へ出力する。インターフェース部２２は、入力された画像データおよび状態情報を主制御部２１へ出力する。主制御部２１は、状態情報に基づいて、シーンの撮影が開始されと判断し、時間管理部２３へ計時の指示を出力する。時間管理部２３は、この指示に基づいて、計時を開始する。
【００６２】
以上の動作は、各シーンの最初のフレームの画像データを記録する場合の動作である。次のフレーム以後の画像データを記録する場合には、同様に画像データがインターフェース部２２を介して録画装置２に入力される。以上がステップＳ３０１における動作である。
【００６３】
時間管理部２３は、計時した時間が１分となった場合に、情報生成部２４に対して、画像特定情報の生成を指示する。時間管理部２３から画像特定情報の生成が指示された場合、情報生成部２４は画像特定情報の記録要求を主制御部２１へ出力する。主制御部２１は、情報生成部２４から画像特定情報の記録要求が出力されたかどうか、各フレームの画像データを処理するごとに判定する（ステップＳ３０２）。
【００６４】
情報生成部２４から画像特定情報の記録要求が出力された場合、主制御部２１は、画像データを特定するための情報（画像番号、フレーム番号、または時刻等）を情報生成部２４へ出力する。情報生成部２４は、主制御部２１から出力された情報に基づいて、画像特定情報を生成し、主制御部２１へ出力する（ステップＳ３０３）。主制御部２１は情報生成部２４から画像特定情報を受け取り、画像データを記録媒体２０に記録すると共に、その画像データに対して関連付けられた画像特定情報を記録媒体２０に記録する（ステップＳ３０４）。一方、情報生成部２４から画像特定情報の記録要求が出力されなかった場合、主制御部２１は画像データを記録媒体２０に記録する（ステップＳ３０５）。
【００６５】
ステップＳ３０６において、主制御部２１は、録画を終了する要求があったかどうか判定する（ステップＳ３０６）。例えば、主制御部２１は、ユーザによる録画装置２の操作を検出することにより、録画を終了する動作が指示されたかどうか判定する。または、デジタルカメラ１において、撮影動作が終了した場合、状態検出部１１がそれを検出して状態情報を生成するので、主制御部２１がその状態情報に基づいて、録画を終了する要求があったかどうか判定してもよい。録画を終了する要求があった場合には、各シーンの画像データの記録が終了し、録画を終了する要求がなかった場合には、ステップＳ３０１へ戻り、次のフレームの画像データの処理を行う。
【００６６】
なお、本実施形態においては、状態検出部１１が各シーンの撮影の開始および終了を検出するようにしているが、ユーザによって操作される操作部を設け、この操作部の操作により、撮影の開始および終了が録画装置２に通知されるようにしてもよい。または、主制御部２１が画像データの流れを監視することにより、撮影の開始および終了を判断するようにしてもよい。
【００６７】
図４は、画像データの編集時における画像録画システムの動作を示すフローチャートである。本実施形態においては、画像特定情報によって特定されるフレームの画像データを含む１分間の画像データを、編集装置３がシーンごとに録画装置２から読み出し、編集を行う。ユーザによって編集装置３の操作部３３が操作されると、その操作に応じた情報が操作部３３から制御部３１に入力される。制御部３１は、この情報に基づいて、録画装置２から画像データを読み出す指示がユーザによって与えられたかどうか判定する。
【００６８】
画像データの読出し指示が与えられた場合、制御部３１は、画像データの読出しを指示する読出指示情報を生成し、インターフェース部３２へ出力する。インターフェース部３２から出力された読出指示情報は、録画装置２において、インターフェース部２２を介して主制御部２１に入力される。以後の動作が図４に示されている。主制御部２１は、この読出指示情報に基づいて、記録媒体２０から画像特定情報を読み出して参照する（ステップＳ４０１）。
【００６９】
主制御部２１は、画像特定情報に関連付けられた１フレーム分の画像データを記録媒体２０から読み出す。主制御部２１は、読み出した画像データを、インターフェース部２２を介して編集装置３へ出力する。インターフェース部２２から出力された画像データは、インターフェース部３２を介して編集装置３に入力される（ステップＳ４０２）。制御部３１はこの画像データを受け取り、図示せぬＲＡＭを作業領域として、画像データに対して編集作業を行い、編集した画像データを記録媒体３０に記録する（ステップＳ４０３）。
【００７０】
続いて、主制御部２１は、編集対象であるシーンの画像データの編集を終了するかどうか判定する（ステップＳ４０４）。特定のシーンの画像特定情報に関連付けられた所定の画像データから１分間の画像データの編集が終了していない、または他のシーンの画像データの編集が終了していない等により、編集を続ける場合には、ステップＳ４０２へ戻り、次のフレームの画像データの読出しが行われる。一方、画像データの編集が終了した場合には、処理が終了する。
【００７１】
なお、１分間に相当する複数のフレームに関しては、画像特定情報によって特定されるフレーム以後のフレームあるいは前後のフレーム等の様々なパターンが可能であるが、画像特定情報によって特定されるフレームと、読み出される複数のフレームとを関連付ける情報が用意されていればよい。
【００７２】
なお、本実施形態における画像データの編集時の動作に関しては、様々な変形が可能である。例えば、編集装置３から録画装置２に読出指示情報が入力された場合に、録画装置２から画像特定情報が編集装置３へ出力され、画像特定情報に基づいた情報を編集装置３が表示してもよい。編集装置３には、例えば画像特定情報によって特定された画像データの位置または記録時刻が、その画像データが属するシーンの番号と共に表示される。このような表示をユーザが参照し、所望のシーンの画像データだけを選択して録画装置２から読み出すようにしてもよい。あるいは、画像特定情報によって特定された１フレーム分の画像データをシーンごとに録画装置２から読み出し、それらの画像データに基づいた画像を編集装置３側で表示し、その表示に基づいて、編集対象のシーンをユーザが選択できるようにしてもよい。
【００７３】
なお、本実施形態においては、画像特定情報は、各シーンの撮影が開始されてから１分が経過した時点において記録され、その時点から１分間に相当するフレーム数の画像データが編集されるようになっているが、画像特定情報が記録されるタイミングや編集に必要なフレーム数は固定であってもよいし、シーンごとや撮影日ごとに可変であってもよい。
【００７４】
なお、各フレームの画像データに対して画像付帯情報を関連付け、この画像付帯情報に画像特定情報と同じ機能を持たせてもよい。例えば編集時に、主制御部２１は各フレームの画像付帯情報を読み出し、画像特定情報に相当する情報がその画像付帯情報に記録されていた場合には、その画像付帯情報と関連付けられた画像データを読み出して編集装置３へ出力する。一方、画像特定情報に相当する情報がその画像付帯情報に記録されていなかった場合には、主制御部２１は、次のフレームの画像付帯情報の処理に移る。
【００７５】
なお、画像特定情報が記録されるタイミングは、以下のようであってもよい。すなわち、デジタルカメラ１の状態検出部１１が、撮像部１０が具備する撮像レンズの焦点距離、絞り、倍率（画角）、または向きの変更（変化）や、撮影レンズの着脱等を検出するようにし、これらが検出された時点において画像特定情報が記録されるようにしてもよい。また、録画装置２にトリガボタンを設け、カメラマンやスタッフ等が、画像特定情報を記録するタイミングを手動で入力するようにしてもよい。
【００７６】
なお、録画装置２と編集装置３とを一体化した記録編集装置を用いてもよい。前述したようなシーンＡからシーンＣまでの撮影の例にあてはめると、画像データの編集時における画像データの転送時間を省略することができるため、従来のような全画像を対象とした編集での処理時間は２５．５時間から１８時間に短縮され、本実施形態による編集での処理時間は１０２分から７２分に短縮される。さらに、入力装置であるデジタルカメラ１や、フィルムスキャナ自身に録画装置２、または記録編集装置の全機能あるいは一部の機能が組み込まれていても同様な効果が得られる。
【００７７】
上述したように、本実施形態においては、映像データを構成する複数の画像データの中の一部の画像データを特定する画像特定情報を画像データと共に記録し、編集時に、画像特定情報に関連付けられた画像データを録画装置２から読み出して編集する。これにより、画像データの編集時に、画像データ（素材）の合否判断を行う工程を短縮することができ、画像データの編集に係る作業時間を短縮することができる。
【００７８】
次に、本発明の第２の実施形態について説明する。図５は、第２の実施形態による画像録画システムの構成を示すブロック図である。図１と同一の構成には同一の符号を付与し、説明を省略する。本実施形態においては、録画装置２に画像評価結果入力部２５（操作手段）が設けられており、カメラマンや監督など、画像の評価を行う評価者が随時、評価結果を画像評価結果入力部２５に入力できるようになっている。評価者によって画像評価結果入力部２５から画像の評価結果が入力されると、画像評価結果入力部２５は、入力された評価結果を示す情報を情報生成部２４へ出力する。情報生成部２４は、評価結果を示す情報に基づいて画像評価情報を生成する。
【００７９】
次に、本実施形態による画像録画システムの、実際の撮影に対する適用について説明する。第１の実施形態と同様に３つのシーンを撮影する場合を考える。シーンＡは日中の晴天の中の日陰での撮影、シーンＢは木の枝でさえずる小鳥のアップ、シーンＣは夕日の中の逆光で女優が砂浜を歩く場面である。第１の実施形態においては、シーンごとに評価が異なる可能性があっても、１つのシーンの中では評価が変わらないことを想定していた。
【００８０】
ところがシーンの中でも評価が時系列的に逐次変わることも考えられる。例えば、この３つのシーンの中で、シーンＡにおいてカメラを水平時に少しずつ振った場合（パンニング）には、日陰の場所で反射光の差し込み方や青カブリが逐次変化することが考えられる。シーンＢにおいてズームレンズを使う場合、シーンを通して焦点位置を確認しなければならないことがある。シーンＣにおいては、水面からの太陽の反射加減や光り方で露出時間が変化することがありうる。
【００８１】
これらの場合には、時間的にある一部分で画像を評価するのではなく、随時評価する方がよい。本実施形態においては、これを解決する方法について述べる。画像評価結果入力部２５は、デジタルカメラ１によって撮影が行われている間に、評価者による評価結果を随時受け付ける。例えば、評価者による評価結果をＡ，Ｂ，Ｃとし、Ａが最もよく、Ｃが不良、つまり撮り直しが必要な評価とする。撮影が始まると、評価者は画像評価結果入力部２５を操作して、Ａ，Ｂ，Ｃの中から選択した評価を入力し続ける。
【００８２】
録画装置２の情報生成部２４は、画像評価結果入力部２５から出力された、評価結果を示す情報に基づいて、画像評価情報を生成し、主制御部２１へ出力する。主制御部２１は、インターフェース部２２を介して入力された１フレーム分の画像データに対してこの画像評価情報を関連付け、画像データおよび画像評価情報を記録媒体２０に記録する。
【００８３】
図６は、画像データと画像評価情報との時間的な関連を示している。図２と同様に横軸は経過時間を示しており、全フレームの画像データに対してＡ〜Ｃのいずれかの評価を示す画像評価情報が関連付けられている。なお、本実施形態においては、評価者が画像評価結果入力部２５を操作しなかった場合には、評価Ｂが自動的に入力され、評価者が評価Ａまたは評価Ｃを入力するためのボタンを押し続けている間に、評価Ａまたは評価Ｃが入力される。もちろん、評価Ａを入力するためのボタンが１回押されたら、次に評価Ｂまたは評価Ｃを入力するためのボタンが押されるまで評価Ａが入力され続けるようにする等の変形も可能である。
【００８４】
図６に示されるように、シーンＡからシーンＣが撮影されているが、評価者は逐次評価を行っており、シーンＡでは最初の部分では評価Ｂを与え（画像評価情報５０１）、中盤では評価Ａを与えている（画像評価情報５０２）のが分かる。後半部分では評価が評価Ｂに戻り、この評価はシーンＢでも続いている（画像評価情報５０３）。シーンＢの中盤部分では評価が評価Ｃとなっている（画像評価情報５０４）。後半では評価が評価Ｂに戻り（画像評価情報５０５）、シーンＣではその評価Ｂから始まり、評価Ａで撮影を終えている（画像評価情報５０６）ことが分かる。
【００８５】
撮影が終了したら、編集作業に入る。第１の実施形態と同様にデジタルカメラ１を切り離し、録画装置２と編集装置３とを接続し、記録した画像データにアクセスできる状態にする。編集装置３では、画像評価情報によって示される評価をユーザが見ながら編集を行う。画像評価情報の使い方はユーザの意図により異なり、どのような利用であってもよいが、以下で具体的な例を挙げる。
【００８６】
Ａ） 試写用の画像の取捨選択を目的とする場合：
第１の実施形態と同様に試写用の画像をなるべく少なくすることができる。例えば、図６のような評価の場合、評価Ａの部分に関連した画像のみを編集装置３が録画装置２から読み出して編集を行い、試写することができる。この場合に入力された評価ランキングＡ，Ｂ，Ｃの意味合いに関しては、撮影中に、画像の撮影状態の品質だけに着目して合否の度合いをＡ，Ｂ，Ｃと解釈したものであってもよい。この場合には、評価者の主観評価により、評価Ａが画像の品質が最も高いと評価されたことになり、評価Ｃが最も低いことになる。
【００８７】
評価Ａの部分は試写してから素材の合否を決め、評価Ｃは試写せず不合格と位置付ける。また、このランキング基準を、評価したい部分の優先順位とみなすこともできる。例えば、評価者は最も試写したい部分を評価Ａとし、ほとんど試写が要らない部分を評価Ｃとして入力する。この場合の評価Ｃは、試写しなくても合格の場合と、不合格の場合がありうる。両者を明確にしたい場合には、不合格の場合の評価を評価Ｂや評価Ｄにしてもよい。
【００８８】
Ｂ）編集作業のパラメータとして情報を参照する場合：
例えば、予め各シーンにおける評価の意味合いを定義しておく。シーンＡにおいては、評価が評価Ｃに近づくほど青カブリが多く、青の色を編集作業で落とす度合いを強める必要があると定義する。シーンＢにおいては、評価が評価Ｃに近づくほど焦点がずれている、いわゆる、ピンボケの可能性が高いと定義する。シーンＣにおいては、評価が評価Ｃに近づくほど露出オーバー気味であると定義する。
【００８９】
評価を与える評価者がこのような取り決めを予め理解しているものとし、編集装置３が評価結果に応じた編集作業を自動で行うものとする。その場合、編集装置３は、編集時にこの評価結果に基づいて、編集内容を変化させることができる。この例では、シーンＡの評価Ａの部分は青カブリを弱める作業はわずかでよいが、評価Ｂ、Ｃとなるにつれて、青カブリをより多く弱める。具体的には、その為の処理のパラメータ設定をチューニングしていく。シーンＢにおいては、評価Ｂの部分では画像のシャープネス作業を若干行うが、評価Ｃの部分ではシャープネスの輪郭強調をより多く行って、ピンボケのリカバリー処理を試みる。シーンＣにおいては、評価Ａの部分では何も行わないが、評価Ｂの部分を露光オーバととらえ、画像に対して、Ｌｏｏｋ  ｕｐ  ｔａｂｌｅによる、画像データの入力値に対する出力値の割合を下げて、適正露出に近づけるようにする。
【００９０】
以上のような作業を編集装置３で行うことにより、Ａ）においては、第１の実施形態と同様に、画像評価用の試写のための作業工程を短縮することができる。また、Ｂ）においては、編集中に人の手間を介さずに、撮影状況の変化に応じて編集作業を行うことができる。
【００９１】
次に、本実施形態による画像録画システムの動作について詳細に説明する。図７は、画像データの記録時における画像録画システムの動作を示すフローチャートである。図７によって示される動作は各シーンの撮影ごとに繰り返される。各シーンの撮影が開始すると、デジタルカメラ１は撮影動作を開始し、画像データを連続的に生成する。撮像部１０は、映像データを構成する画像データを連続的に生成し、インターフェース部１２へ出力する。
【００９２】
インターフェース部１２は、撮像部１０から出力された１フレーム分の画像データを、録画装置２のインターフェース部２２へ出力する。インターフェース部２２は、入力された画像データを主制御部２１へ出力する（ステップＳ７０１）。続いて、主制御部２１は、情報生成部２４に対して、画像評価情報の生成を指示すると共に、画像データを特定するための情報を出力する。情報生成部２４は、この指示に基づいて、画像評価結果入力部２５から出力された、評価者による画像評価結果を示す情報を参照する（ステップＳ７０２）。
【００９３】
画像評価結果入力部２５は、評価者によって画像評価結果が入力されるたびに、入力された画像評価結果を示す情報を情報生成部２４へ出力する。前述したように、評価者が評価Ａまたは評価Ｃを入力するためのボタンを押し続けている間に、評価Ａまたは評価Ｃが入力され、何も操作が行われなかった場合には評価Ｂが入力される。もちろん、評価Ａを入力するためのボタンが１回押されたら、次に評価Ｂまたは評価Ｃを入力するためのボタンが押されるまで評価Ａが入力され続けるようにする等の変形も可能である。情報生成部２４は、画像評価結果入力部２５から出力された情報に基づいて、画像データに関連付けられた画像評価情報を生成し、主制御部２１へ出力する（ステップＳ７０３）。
【００９４】
主制御部２１は情報生成部２４から画像評価情報を受け取り、画像データを記録媒体２０に記録すると共に、その画像データに対して関連付けられた画像評価情報を記録媒体２０に記録する（ステップＳ７０４）。続いて、主制御部２１は、録画を終了する要求があったかどうか判定する（ステップＳ７０５）。録画の終了を検出する手法は第１の実施形態と同様である。録画を終了する要求があった場合には、各シーンの画像データの記録が終了し、録画を終了する要求がなかった場合には、ステップＳ７０１へ戻り、次のフレームの画像データの処理を行う。
【００９５】
図８は、画像データの編集時における画像録画システムの動作を示すフローチャートである。ここでは、前述したＡ）のように、画像評価情報は、試写用の画像の取捨選択を行うための情報であるとする。ユーザによって編集装置３の操作部３３が操作され、その操作に応じた情報が操作部３３から制御部３１に入力される。制御部３３は、この情報に基づいて、録画装置２から画像データを読み出す指示がユーザによって与えられたかどうか判定する。
【００９６】
画像データの読出し指示が与えられた場合、制御部３１は、画像データの読出しを指示する読出指示情報を生成し、インターフェース部３２へ出力する。インターフェース部３２から出力された読出指示情報は、録画装置２において、インターフェース部２２を介して主制御部２１に入力される。以後の動作が図８に示されている。主制御部２１は、この読出指示情報に基づいて、記録媒体２０から１フレーム分の画像評価情報を読み出して参照する（ステップＳ８０１）。
【００９７】
続いて、主制御部２１は、画像評価情報が示す評価と、予め設定された編集基準とを比較し、評価が編集基準を上回るかどうか判定する（ステップＳ８０２）。評価が編集基準を上回っていた場合、主制御部２１は、その画像評価情報に関係付けられた１フレーム分の画像データを読み出し、画像評価情報と共にインターフェース部２２を介して編集装置３へ出力する。この場合、設定により、例えば評価Ａに関連付けられた画像データのみが読み出されたり、評価Ａおよび評価Ｂに関連付けられた画像データが読み出されたりする。第１の実施形態において説明した動作と同様にして、この画像データおよび画像評価情報は編集装置３に転送される（ステップＳ８０３）。
【００９８】
続いて、制御部３１は、画像評価情報によって示される評価に応じて、その画像評価情報と関連付けられた画像データに対する編集を行う（ステップＳ８０４）。続いて、処理はステップＳ８０５へ進む。また、ステップＳ８０２において、評価が編集基準を上回っていなかった場合にも、処理はステップＳ８０５へ進む。続いて、主制御部２１は、編集対象であるシーンの画像データの編集を終了するかどうか判定する（ステップＳ８０５）。画像評価情報に関連付けられた画像データの編集が終了しておらず、編集を続ける場合には、ステップＳ８０１へ戻り、次のフレームの画像データに関連付けられた画像評価情報の読出しが行われる。一方、画像データの編集が終了した場合には、処理が終了する。
【００９９】
なお、画像評価結果入力部２５からの評価結果の入力に関しては、評価結果をボタンで入力してもよいし、スライダーバーやダイヤルを用いて連続的に入力しても構わない。また、評価の数は問わない。また、画像評価結果入力部２５を複数用意する、あるいは共有化することにより、複数の評価者の評価内容を記録できるようにすることも考えられる。さらに、同じ評価対象に対して、複数の評価者による評価を記録しておき、編集装置３でその評価結果の平均値、あるいは重み付けした内容に基づいて編集作業を行うことも可能である。
【０１００】
また、評価基準は評価者ごとに異なっていてもよい。例えば、評価者Ｉは、試写するべき部分の優先順位の評価を行い、評価者ＩＩはフォーカス評価を行い、評価者ＩＩＩは露光適正具合の評価を行うなどの事項を事前に決めておき、各評価者が自身に割り当てられた評価基準で評価結果を入力すればよい。編集装置３は、それらの評価の一部、あるいは全てを用いて、編集すべき画像フレームの取捨選択を行うことができる。あるいは、この評価を編集での作業の内容に反映させることができる。
【０１０１】
なお、画像の評価を行うのではなく、第1の実施形態と同様に、特定のフレームの画像データを指定するために画像評価結果入力部２５を用いてもよい。この場合、例えば各シーンの撮影が開始してから１分後にユーザが画像評価結果入力部２５を操作すると、操作結果が情報生成部２４に入力される。情報生成部２４は、この操作結果に基づいて、画像特定情報の記録要求を主制御部２１へ出力する。主制御部２１は、記録要求に基づいて、画像データを特定するための情報（画像番号、フレーム番号、または時刻等）を情報生成部２４へ出力する。情報生成部２４は、主制御部２１から出力された情報に基づいて、画像特定情報を生成し、主制御部２１へ出力する。主制御部２１は情報生成部２４から画像特定情報を受け取り、画像データを記録媒体２０に記録すると共に、その画像データに対して関連付けられた画像特定情報を記録媒体２０に記録する。
【０１０２】
上述したように、本実施形態においては、評価者によって入力された評価結果に基づいて生成した画像評価情報を、その画像評価情報が関連付けられた画像データと共に記録し、編集時に、画像評価情報によって示される評価結果に応じて、画像データの編集を行う。これにより、画像評価情報に基づいて画像データの編集の有無の選択や、編集で必要なパラメータの決定等を行うことができると共に、編集作業の工程および作業時間を短縮することができる。
【０１０３】
次に、本発明の第３の実施形態について説明する。図９は、第３の実施形態による画像録画システムの構成を示すブロック図である。図１および図５と同一の構成には同一の符号を付与し、説明を省略する。本実施形態においては、画像データの評価を行う自動画像評価部２６（画像評価手段）が録画装置２に設けられている。自動画像評価部２６は、第２の実施形態における画像評価結果入力部２５および評価者が行っていた動作を自動で行う。以下、自動画像評価部２６による画像データの評価に関係した録画装置２の各部の動作について説明する。
【０１０４】
撮影時に、主制御部２１は、インターフェース部２２から出力された１フレーム分の画像データを自動画像評価部２６へ出力する。また、主制御部２１は、画像データを特定するための情報（画像番号、フレーム番号、または時刻等）を情報生成部２４へ出力する。自動画像評価部２６は、主制御部２１から入力された画像データに対する評価を行い、評価結果を情報生成部２４へ出力する。情報生成部２４は、この評価結果に基づいて、画像データに関連付けられた画像評価情報を生成し、主制御部２１へ出力する。主制御部２１は画像データおよび画像評価情報を記録媒体２０に記録する。
【０１０５】
次に、自動画像評価部２６による画像データの評価について説明する。一例として、前述した３つのシーンに対して、自動画像評価部２６が露光情報、焦点情報、および色情報の３つの情報に基づいた評価を行う場合について述べる。露光情報に関しては、自動画像評価部２６は、主制御部２１から出力された画像データの輝度分布を調べる。例えば、画像が１０Ｂｉｔ階調である場合には、データは０〜１０２３で表されるため、画像全体の輝度分布を見て、１０２０以上のデータ値が１００画素以上存在した場合には、露出オーバーと解釈し、露光情報を＋１とする。
【０１０６】
また、輝度が１０以下のデータ数が１００画素以上存在した場合には、露出アンダーと解釈し、露光情報を−１とする。それ以外には、適正露出と見なし、露光情報を０とする。以上のように、露光情報を＋１、０、−１の３種類で画像評価情報に記録することができる。自動画像評価部２６は、以上の評価内容を示す露光情報を情報生成部２４へ出力する。
【０１０７】
焦点情報に関しては、自動画像評価部２６は、フォーカスを合わせたい場所、例えばシーンＢでは小鳥の頭部付近の１００×１００画素の輝度変化を見る。その輝度値が規定のスレッシュホールド値、例えば８００以下になった場合であって、デジタルカメラ１のレンズが近距離側に動かされたことを検知した場合（デジタルカメラ１から出力される状態情報に基づいて、主制御部２１によって検知される）に、自動画像評価部２６は、Nｅａｒ側へピンボケ状態（Ｎ）であると評価し、遠距離側に動かされた時にはＦａｒ側へピンボケ状態（Ｆ）であると評価する。
【０１０８】
自動画像評価部２６は、以上の場合以外は合焦と評価し、画像評価情報にブランクを書き込むことを指定する。自動画像評価部２６は、以上の評価内容を示す焦点情報を情報生成部２４へ出力する。
【０１０９】
色情報に関しては、自動画像評価部２６は、予め白色板や白いドレス、コンクリート部分など無彩色に近い部分の画像中の１００×１００画素のＲ（Ｒｅｄ），Ｇ（Ｇｅｅｎ），Ｂ（Ｂｒｕｅ）の割合を計測し、赤味が多い場合にはＲと評価し、青味、緑味が多い場合にはそれぞれ、Ｂ、Ｇと評価する。また、このホワイトバランスが取れた状態ならばブランクを書き込むことを指定する。自動画像評価部２６は、以上の評価内容を示す色情報を情報生成部２４へ出力する。
【０１１０】
情報生成部２４は、自動画像評価部２６から出力された露光情報、焦点情報、および色情報に基づいて、画像評価情報を生成する。この結果、各シーンごとの評価は図１０のようになり、複数の評価項目があっても、人の手を介さずに自動で評価を行うことができる。この後にこの評価結果を使って編集作業を行うが、その作業は第２の実施形態と同様である。
【０１１１】
なお、本実施形態においては、露光情報、焦点情報、色情報について評価を行うようにしているが、評価項目はこれにとらわれるものではない。また、露光情報、焦点情報、色情報の判定方法や結果の記録方法についても、編集装置３の利用者が任意に決めて構わない。例えば、露光情報に関しては、照度計とリンクしてその値を記録してもよいし、デジタルカメラ１の絞り位置を監視しながら、＋半絞り、−２絞りなどと記録することも考えられる。
【０１１２】
また、焦点情報に関しては、デジタルカメラ１のフォーカス位置を監視しながら、焦点距離を記録するなり、オートフォーカス（ＡF）での合焦の的確度（合焦した確率）をＡＦユニットから入力し、記録してもよい。色情報に関しては、測色計、分光計とリンクして、その情報や色度値を記録したり、デジタルカメラ１が自動ホワイトバランス（ＡWＢ）機能を持っている場合には、そのパラメータの一部を入力することも考えられる。
【０１１３】
上述したように、本実施形態においては、自動画像評価部２６が画像データに基づいた評価を自動で行い、その評価結果に基づいて情報生成部２４が画像評価情報を生成する。これにより、複数の評価項目があっても、人の手を介さずに自動で画像データの評価を行うことができ、編集作業の工程および作業時間を短縮することができる。
【０１１４】
次に、本発明の第４の実施形態について説明する。図１１は、第４の実施形態による画像録画システムの構成を示すブロック図である。図５と同一の構成には同一の符号を付与し、説明を省略する。本実施形態においては、第２の実施形態と同様に、録画装置２に画像評価結果入力部２５が設けられており、カメラマンや監督など、画像の評価を行う評価者が随時、評価結果を画像評価結果入力部２５に入力できるようになっている。また、録画装置２には、インターフェース部２２を介して、画像再生装置４が接続されており、録画装置２の記録媒体２０に保存されている画像データを画像再生装置４に出力し、画像を再生することができるようになっている。
【０１１５】
次に、本実施形態による画像録画システムの、実際の撮影に対する適用について説明する。第１の実施形態と同様に３つのシーンを撮影する場合を考える。シーンＡは日中の晴天の中の日陰での撮影、シーンＢは木の枝でさえずる小鳥のアップ、シーンＣは夕日の中の逆光で女優が砂浜を歩く場面である。まず、日中にロケを行う。録画装置２にデジタルカメラ１を接続し、目的の３つのシーンの撮影を行う。撮影中は評価を行わない。したがって、撮影中には、情報生成部２４は動作しなくてよいし、画像評価結果入力部２５は接続されていなくても構わない。
【０１１６】
シーンＡからシーンＣまで撮影が終わると、撮影された画像データは記録媒体２０に納められており、その画像データに基づいた画像を、画像再生装置４を使って再生する。この場合には、デジタルカメラ１などの入力機器は接続されていなくても構わない。この画像再生装置４によって再生表示される画像を評価者が見ながら、評価結果を画像評価結果入力部２５に入力していく。
【０１１７】
本実施形態における画像データの評価は、画像再生装置４によって再生表示される画像を見ながら行われる点が、第２の実施形態において述べた、ロケ中に評価を行う場合と異なるが、それ以外の評価の手順は全く同じである。評価者は、画像再生装置４でシーンを見ながら評価していく。第２の実施形態と同様に、画像評価結果入力部２５から出力された情報に基づいて、情報生成部２４は画像評価情報を生成し、主制御部２１へ出力する。主制御部２１は、記録媒体２０から読み出した画像データに対して画像評価情報を関連付け、画像評価情報を記録媒体２０に記録する。画像評価情報は、第２の実施形態と同様に、特定のフレームの画像データに対して関連付けられている。
【０１１８】
この作業が終わると、全てのシーンで画像フレームに対応した評価が完了する。その様子は例えば、図６のようになり、この記録内容は、第２の実施形態において説明した、ロケ中に評価を行った場合と同じになる。したがって、これ以降の作業工程である編集や試写は、第２の実施形態において説明したとおりに行うことができる。なお、本実施形態においても、複数の評価者による評価結果の入力を行うようにしたり、評価項目を複数設けたりしてもよく、その場合には、画像評価結果入力部２５や画像再生装置４を複数用意してもよい。その結果、評価が複数になることも考えられる。
【０１１９】
次に、本実施形態において画像の評価を行う場合の画像録画システムの動作について詳細に説明する。図１２はこの場合の動作を示すフローチャートである。評価者の指示等により画像の評価が開始されると、主制御部２１は記録媒体２０から所定のシーンの１フレーム分の画像データを読み出し、インターフェース部２２を介して画像再生装置４へ出力する。画像再生装置４は、画像データに基づいて画像を表示する（ステップＳ１２０１）。
【０１２０】
続いて、主制御部２１は、情報生成部２４に対して、画像評価情報の生成を指示すると共に、記録媒体２０から読み出した１フレーム分の画像データを特定するための情報（画像番号、フレーム番号、または時刻等）を出力する。情報生成部２４は、この指示に基づいて、画像評価結果入力部２５から出力された、評価者による画像評価結果を示す情報を参照する（ステップＳ１２０２）。
【０１２１】
画像評価結果入力部２５は、評価者によって画像評価結果が入力されるたびに、入力された画像評価結果を示す情報を情報生成部２４へ出力する。第２の実施形態における図８によって示される動作と同様に、評価者が評価Ａまたは評価Ｃを入力するためのボタンを押し続けている間に、評価Ａまたは評価Ｃが入力され、何も操作が行われなかった場合には評価Ｂが入力される。情報生成部２４は、画像評価結果入力部２５から出力された情報に基づいて、画像データに関連付けられた画像評価情報を生成し、主制御部２１へ出力する（ステップＳ１２０３）。
【０１２２】
主制御部２１は情報生成部２４から画像評価情報を受け取り、記録媒体２０から読み出して再生した画像データに対して関連付けられた画像評価情報を記録媒体２０に記録する（ステップＳ１２０４）。続いて、主制御部２１は、画像の再生を終了する要求があったかどうか判定する。例えば、主制御部２１は、ユーザによる録画装置２の操作を検出することにより、画像の再生を終了する動作が指示されたかどうか判定する（ステップＳ１２０５）。
【０１２３】
画像の再生を終了する要求があった場合には、画像の評価および再生が終了し、画像の再生を終了する要求がなかった場合には、主制御部２１は、画像の評価が終了したかどうか判定する（ステップＳ１２０６）。画像の評価が終了した場合には、処理が終了し、画像の評価が終了していない場合には、ステップＳ１２０１へ戻り、他の画像データの再生および評価を行う。なお、本実施形態において、デジタルカメラ１が画像データを生成し、録画装置２がその画像データを記録する動作は、従来と同様でよい。また、画像データの編集時の動作は、第２の実施形態における動作と同様でよい。
【０１２４】
なお、本実施形態の変形例として、評価を録画装置２が自動で行うことも考えられる。上述した実施形態においては、画像評価結果入力部２５と評価者とにより行われていた機能を、図９の自動画像評価部２６として置き換えることができる。この場合の評価に関しては、記録媒体２０から読み出した画像データに基づいて直接評価を行うことができるならば、画像再生装置４を録画装置２に接続せず、録画装置２の内部の自動画像評価部２６が、主制御部２１によって読み出された画像データに対して評価を行ってもよい。
【０１２５】
なお、自動画像評価部２６は録画装置２に内蔵されていてもよいし、外部機器として録画装置２に外付けの形で接続されていてもよい。この場合でも、実際の撮影を終了した後、記録媒体２０に保存されている画像データを再生しながら評価を行うが、自動画像評価部２６により評価を行う手順は、第３の実施形態において述べた方法と同じになる。
【０１２６】
自動画像評価部２６を外部機器として接続する変形例によれば、自動画像評価部２６が大掛かりで撮影現場に持って行けないような場合でも、撮影後、録画装置２を自動画像評価部２６のある場所へ持ち込めば、画像の評価を行うことができる。したがって、撮影中の機材を少なくすることができる。また、自動画像評価部２６の処理が非常に速い場合、つまり、１秒間に２４フレーム以上の処理能力がある場合には、自動画像評価部２６の処理速度に合わせて記録媒体２０から画像データを読み出し、作業を完了させることができる。その後の試写において、満足な結果が得られない場合には、画像評価情報を参照しながら、編集で必要なそれ以外のパラメータを変化させるなどにより、フィードバックをかけながら繰り返し作業を行うことができる。あるいは、この試写において再び評価者による評価情報、または、自動の画像評価による評価情報を追記し、その情報をフィードバックしながら繰り返し作業を行うことにより、編集作業の質を高めることができる。
【０１２７】
これとは反対に、自動画像評価部２６の処理が遅い場合、つまり、１秒間に２４フレーム以上の処理能力がない場合には、第３の実施形態における自動画像評価のように撮影中に評価作業を行うことはできないが、記録媒体２０に保存されている画像に対して撮影後に時間をかけて作業を行うことができる。
【０１２８】
上述したように、本実施形態においては、撮影および画像データの記録を行った後、画像データを記録媒体２０から読み出し、画像再生装置４によって画像を再生表示すると共に、再生された画像データに対して自動画像評価部２６が評価を自動で行い、その評価結果に基づいて情報生成部２４が画像評価情報を生成する。これにより、撮影時に画像の評価を行うことができなかった場合でも、画像の再生時に画像の評価を行うことができ、その後の編集作業の工程および作業時間を短縮することができる。
【０１２９】
次に、本発明の第５の実施形態について説明する。図１３は、第５の実施形態による画像録画システムの構成を示すブロック図である。図１と同一の構成には同一の符号を付与し、説明を省略する。本実施形態においては、録画装置２に無線通信部２７（出力手段）が設けられ、編集装置３に無線通信部３４が設けられている。無線通信部２７および無線通信部３４は、図示せぬアンテナおよび信号の変調・復調用の回路等を備え、無線通信により互いにデータの送受信を行う。なお、第１の実施形態と同様に時間管理部２３が設けられているが、これに替えて、あるいはこれに加えて、第２の実施形態における画像評価結果入力部２５、または第３の実施形態における自動画像評価部２６を設けてもよい。
【０１３０】
録画装置２から画像データが編集装置２へ転送される場合、主制御部２１は画像データを無線通信部２７へ出力する。この画像データは、無線通信部２７内部の変調回路や信号増幅器等を経て、アンテナを介して編集装置３へ送信される。編集装置３の無線通信部３４においては、アンテナを介して受信された信号は、信号増幅器や復調回路等を経て、デジタルの画像データとして制御部３１へ出力される。
【０１３１】
次に、本実施形態による画像録画システムの、実際の撮影に対する適用について説明する。ロケ現場で撮影を行うが、この場合にはデジタルカメラ１などの撮影機材と録画装置２とを持っていく。録画装置２と編集装置３との間では、無線通信部２７と無線通信部３４との間で通信を行うことができるため、編集装置３を録画装置２の傍に設置する必要がない。むしろ、編集装置３は、設置しやすい場所や、映写機などの出力装置との連携がしやすい場所、試写するときの評価者が立ち寄るのに便利な場所に置けばよい。したがって、例えば、デジタルカメラ１と録画装置２を、ロケ現場である沖縄に持っていき、編集装置３と映写機および評価者は東京のスタジオで待機することができる。
【０１３２】
実際の作業工程の手順は第１〜第３の実施形態と同様である。すなわち、日中をとおして沖縄でシーンごとの撮影を行う。この場合に、シーンの評価を行うための評価結果の入力や、画像の自動評価が並列して行われる。夕方に撮影が終わると、東京のスタジオで編集作業を行う。編集の対象は、沖縄にある録画装置２の記録媒体２０に保存されている画像データである。編集装置３は記録媒体２０に保存されている画像特定情報および画像評価情報の一方または両方に基づいて、画像データを無線通信により取り込み、続いて編集作業を行い、その結果を記録媒体３０に保存していく。
【０１３３】
これにより、録画装置２を東京のスタジオに持ち帰ったり、逆に、編集装置３や編集者を沖縄に送り出すことなく、編集作業と試写とを行うことができる。したがって、装置の移動がなく、翌日も撮影および編集作業を続けることができる。特に、録画装置２に時間管理部２３が設けられ、情報生成部２４によって画像特定情報が生成され、画像データの位置を示す画像特定情報が保存された場合には、その画像特定情報によって特定されるフレーム以後または前後の特定の画像フレームだけが転送されるため、有線の場合に比べて無線通信による画像データの転送効率が悪い場合でも、全画像データを転送するよりも時間を節約することができる。
【０１３４】
また、画像データの転送は、全てのシーンの撮影が終わる夕方を待ってから始める必要はない。例えば、第１の実施形態の例で示したとおり、シーンＡ、シーンＢ、およびシーンＣの撮影を行う場合に、シーンＣまで全て撮り終えてから編集作業を始めるのではなく、シーンＡが終わったらシーンＢの撮影をしながら、東京のスタジオでシーンＡの編集を進めることができる。つまり、スタジオにおいては、シーンＡの編集を行うために編集装置３が、録画装置２に対して無線でアクセスし、録画装置２が画像特定情報に基づいた画像データを順次編集装置３へ送信する。編集装置３は、受信した画像データに対して編集を行う。これを行うためには、録画装置２は、必要に応じて別のシーン、ここではシーンＢを撮影しながら、編集装置３からの転送要求に応答する必要がある。
【０１３５】
また、編集を始めるタイミングを早めることもできる。例えば、図３で示されるように、第１の実施形態においては、各シーンの画像特定情報は、シーンごとの撮影開始の１分後に記録されるようにしていた。この条件を予め編集装置３に設定するか、または編集装置３がその条件を認識できるように録画装置２と通信を行い、編集装置３が録画装置２から画像データをシーンＡの撮影開始後２分後付近から読み出すようにすれば、編集作業の開始を早めることができる。
【０１３６】
また、図１３において、録画装置２に画像評価結果入力部２５または自動画像評価部２６が設けられている場合には、例えば図６のような画像評価情報が記録される。この場合、録画装置２がシーンＡの画像データを保存し始めた直後から、東京のスタジオの編集装置３で編集作業を開始することができる。無線によるデータ転送が、カメラからの画像保存処理速度と同等以上に速い場合には、全シーンの撮影完了と同時に編集作業を終えることもできる。
【０１３７】
データ転送が遅い場合には、シーンＡの編集をシーンＡの撮影開始と共に開始しても、徐々に遅延が発生するが、シーンＣまでの撮影を終えてから編集を行うよりも、全工程を切り詰めることができる。さらに、編集の途中でも各シーンの試写を順に行い、合否の判定を行えば、撮影の途中でも、撮影素材の不良による撮影の中断を東京のスタジオから指示することができる。
【０１３８】
上述したように、本実施形態においては、録画装置２および編集装置３が無線で画像データを送受信する。これにより、録画装置２に対して編集装置３が遠隔地に位置する場合であっても、前述した実施形態と同様に、編集作業の工程および作業時間を短縮することができる。
【０１３９】
次に、本発明の第６の実施形態について説明する。図１４は、第６の実施形態による画像録画システムの構成を示すブロック図である。図１と同一の構成には同一の符号を付与し、説明を省略する。本実施形態においては、録画装置２および編集装置３が複数の記録媒体を有しており、一例として、録画装置２および編集装置３がそれぞれ３つの記録媒体を有している場合が図示されている。なお、第１の実施形態と同様に時間管理部２３が設けられているが、これに替えて、あるいはこれに加えて、第２の実施形態における画像評価結果入力部２５、または第３の実施形態における自動画像評価部２６を設けてもよい。
【０１４０】
録画装置２には、記録媒体２０ａ〜２０ｃが設けられている。これらの記録媒体は着脱可能となっており、各記録媒体がデータのアクセス中でなければ、電源をオンにした状態で抜き差しできるようになっている。例えば、シーンの撮影において、画像データやその他のデータを記録媒体２０ｂに保存している最中でも、記録媒体２０ａがアクセスフリーになっている場合には、この記録媒体２０ａを任意に着脱できる機構になっている。この機構はコンピュータのファイルサーバーに用いられている、いわゆる、ホットスワップと同様な機能に相当する。
【０１４１】
編集装置３は記録媒体３０ａ〜３０ｃを有している。なお、録画装置２の記録媒体の構成単位数と編集装置３の構成単位数は、図１４においては共に３個ずつとなっているが、必ずしも同じ数にする必要はない。録画装置２と編集装置３との接続に関しては、図１においては、ケーブル等を用いて接続されていたが、図１４においては接続されていない。録画装置２の記録媒体２０ａ〜２０ｃのいずれかに保存されたデータを利用する場合には、人の手を介すなどして記録媒体自身を引き抜き、編集装置３へそれを運び、編集装置３の記録媒体として編集装置３に装着することにより、データの移送を行う。
【０１４２】
次に、本実施形態による画像録画システムの、実際の撮影に対する適用について説明する。ロケ現場で撮影を行うが、この場合にはデジタルカメラ１などの撮影機材と録画装置２とを持っていく。録画装置２には記録媒体２０ａ〜２０ｃの３個の着脱可能な記録媒体を装着しておく。録画装置２と編集装置３は接続されていないため、編集装置３の設置場所は自由に決めることができる。
【０１４３】
以下、実際の作業工程の手順を説明する。まず、日中をとおしてシーン毎の撮影を行う。同時に第１の実施形態と同様に、シーンの評価を行うための評価結果の入力や、画像の自動評価が並列して行われる。夕方、撮影が終わると、編集作業を行う。編集の対象である画像データと画像特定情報は録画装置２の記録媒体２０ａに保存されているとする。作業者は記録媒体２０ａを録画装置２から取り外し、編集装置３の記録媒体３０ａの場所に装着する。
【０１４４】
第１の実施形態においては、図１の編集装置３は録画装置２の記録媒体２０に保存されているデータに対して編集を行っていたが、本実施形態においては、作業者が移送した図１４の編集装置３の記録媒体３０ａに対して編集作業を行えばよい。記録媒体３０ａに保存されている画像特定情報、あるいは画像評価情報かその両方を参照しながら、画像データを取り込み、編集作業を行い、その結果を編集装置３の記録媒体３０ｂに保存していく。あるいは必要に応じて記録媒体３０ａか記録媒体３０ｃに保存してもよい。
【０１４５】
第１の実施形態においては、シーンＡ〜シーンＣの画像データの中から画像フレームを１分ずつ取り出し、転送に合計３０分かかっていた。本実施形態においては、録画装置２から編集装置３へ記録媒体２０ａなどの移送を３０分以内で行うことができるなら、第１の実施形態の場合よりも早く編集作業を終えることができる。また、録画装置２から編集装置３への記録媒体２０ａなどの移送に３０分以上かかる場合や、第５の実施形態のように撮影完了直後に編集処理を始めることができず、編集作業を早めることが不可能な場合もある。
【０１４６】
しかし、本実施形態においては、無線通信が困難な場所や無線傍受リスクを回避して、録画装置２と編集装置３とを切り離して撮影を行い、編集工程に移ることができる。また、一日の撮影時間が長いなどにより大量の画像データの保存が必要になったとき、無線、有線を問わず編集装置３へデータを転送するのが時間的に困難な場合であっても、本実施形態のようにして、予備の記録媒体を用意し、撮影画像データなどで記録容量を使い切った記録媒体を順に交換することにより、記録媒体の１単位の容量や持ち込む単位数を自由に変更することができる。
【０１４７】
また、全てのシーンの撮影が終わる夕方を待ってから画像データの移送を始める必要はない。例えば、第１の実施形態の例で示したとおり、シーンＡ、シーンＢ、シーンＣの撮影を行うとすると、シーンＣまで全て撮り終えてから移送を始めるのではなく、シーンＡが終わったらシーンＢの撮影をしながら、シーンＡの部分の画像データの移送を進めることができる。例えば、シーンＡは記録媒体２０ａ、シーンＢは記録媒体２０ｂ、シーンＣは記録媒体２０ｃに保存すると決めたとする。
【０１４８】
撮影現場においては、シーンＡの撮影が完了し、シーンＢの撮影に移るときには記録媒体２０ａにシーンＡのデータが保存されており、それ以降の撮影でのデータに対するアクセスが不要になる。したがって、このタイミングで記録媒体２０ａの移送を行うことができる。その場合、編集装置３においては、録画装置２から取り外した記録媒体２０ａを記録媒体３０ａの位置に取り付けて、シーンＡの編集作業や試写を行うことができる。
【０１４９】
この工程でシーンＡの試写を行い、合否の判定を行えば、他のシーンの撮影の途中でも撮影素材の不良による撮影の中断を撮影現場に指示することができる。また、撮影時に録画装置２を付随して持ち運ばなければならないが、随時予備の記録媒体と交換することができるならば、その機能を使えば、全撮影に必要な記録媒体を最初から録画装置２に取り付けておく必要がなく、記録媒体の単位容量を減らすことができるため、録画装置２の規模を体積的にも重量的にも小さくすることができる。
【０１５０】
上述したように、本実施形態においては、録画装置２に着脱可能な複数の記録媒体を設け、画像データの記録または編集が行われている間に、前記画像データに関する処理が行われていない記録媒体を取り外し、編集装置３に装着して、撮影と並行して編集作業を行うことができる。これにより、編集装置３が、録画装置２に対して遠隔地に位置し、録画装置２と編集装置３との間で通信／交信を行うことができない場合であっても、前述した実施形態と同様に、編集作業の工程および作業時間を短縮することができる。
【０１５１】
次に、本発明の第７の実施形態について説明する。第７の実施形態による画像録画システムの構成は図１と同一である。本実施形態における撮影方法は第１の実施形態で説明した方法と同一であり、シーンＡ、シーンＢ、シーンＣの撮影を行ったものとする。各シーンの説明は第１の実施形態と同一であるため省略する。撮影が終わると、記録媒体２０には、図２で表されるように画像データと画像特定情報とが記録される。
【０１５２】
その日の夜、撮影画像を目的のとおり正しく撮影することができたかどうか、編集を行った後に映写を行って評価する。この編集課程で画像データを読み出す方法が第１の実施形態と異なる。第１の実施形態においては、各シーンの画像特定情報によって特定されたフレームから主制御部２１が１分間の全ての画像データを読み出していた。その結果、シーンごとに２４×６０×１＝１４４０フレームだけ転送して編集作業を行っていた。
【０１５３】
本実施形態においては、複数の画像データによって構成された画像を時間軸方向に間引いて、主制御部２１が画像データを読み出す間隔を１秒間の画像当たり１枚ずつとする。つまり、２４フレームごとに読み出す画像は１枚でよいことになる。その様子を図１５に示す。撮影画像３００を構成する画像データの２４フレームごとに転送画像３０４〜３０５が読み出される。このように画像データは１秒間に２４フレームずつの全てが記録媒体２０に保存されているが、転送して編集する画像データは２４フレームごとに１フレームだけであるようにすると、１分間で必要なフレーム数が６０フレームとなり、シーンごとに読み出されるフレームの数は１×６０×１＝６０フレームとなり、３シーンでも１８０フレームで済む。
【０１５４】
第１の実施形態と同様に、編集作業に１フレームあたり１秒が必要だったとしても、１８０秒＝３分で作業が完了することになる。また、録画装置２と編集装置３との間の画像データの転送においては、第１の実施形態では転送速度が２．４フレーム／秒であったため、１８０フレームの転送時間は１８０／２．４＝７５秒となる。したがって、編集作業と転送との合計４分１５秒で映写の準備ができることになる。よって、第１の実施形態において合計１０２分かかっていた処理を４分１５秒に短縮し、この編集作業後に映写が可能となる。映写では、編集された画像が１秒あたり１フレームしかないため、コマ送り的な映写になる。または、１秒あたりの映写フレーム数を２４枚にすると、２４倍速のスピードでの映写になる。ここでの作業はあくまでも画像の「素材」の合否判断であるため、コマ送り的な映写でも数倍速の映写でも目的を達成することができる。
【０１５５】
なお、本実施形態においては、画像特定情報が、各シーンの撮影が開始されてから１分が経過した時点において記録され、その時点から１分間の画像を時間軸方向に間引いて、間引いた後の画像を構成する画像データを編集するようにしているが、画像特定情報が記録されるタイミングや編集に必要なフレーム数は固定であってもよいし、シーンごとや撮影日ごとに可変であってもよい
【０１５６】
また、画像特定情報を生成するタイミングは、本実施形態における撮影開始時刻から１分間が経過した時点であることに限定されない。これ以外に、フォーカシング、絞り位置変更、撮影レンズ着脱、撮影開始日、カメラの画角などを検知できる機能をデジタルカメラ１などの入力装置か録画装置２に設け、その機能によって検知された情報に基づいて画像特定情報を生成してもよいし（本実施形態においては、状態検出部１１が上記の検出を行う）、録画装置２にトリガボタンを設け、カメラマン、そのスタッフなどがトリガボタンを操作することにより、手動で入力することができるようにしても構わない。
【０１５７】
また、図１５においては、転送する画像データのフレーム数は２４フレームごとに１フレームであったが、２フレームごとに１フレームや６フレームごとに１フレームとするなど任意の間隔にすることもできるし、途中からこの間隔を変更しても本実施形態と同様の効果が得られる。
【０１５８】
本実施形態の変形例として、シーンＡ、シーンＢ、シーンＣに対して全フレームの画像評価情報が保存されている場合の例を示す。画像を撮影し、評価しながら保存する手段は第２の実施形態や第３の実施形態で述べたとおりであり、その情報は録画装置２の記録媒体２０に図６や図１０で示されるように保存されている。
【０１５９】
第２および第３の実施形態において、編集時に全フレームに対して編集を行い保存するものとし、編集時間、転送時間が同じ条件だとすると、従来方法と同じ時間がかかるので、転送に４５０分、編集作業に１０８０分で合計２５．５時間かかることになる。本実施形態の変形例においては、転送も編集処理も２４フレームごとに１フレームしか作業を行わないため、転送には４５０／２４＝１８．７５分がかかり、編集作業には１０８０／２４＝４５分がかかり、合計６４分以内で映写工程に移ることができる。
【０１６０】
以上により、画像素材の合否を決めるための試写では動画が１秒ごとのコマ送り的な画像になるか、フレーム数を飛ばした分の例えば２４倍速の画像になるが、録画装置２に保存されている画像に対してまんべんなく編集処理を行い、その結果を確かめることができる。
【０１６１】
上述したように、本実施形態においては、編集時に主制御部２１が画像を時間軸方向に間引くことにより、連続した複数の画像データの中から所定の間隔ごとに１フレームの画像データを編集装置３へ出力する。これにより、編集装置３が処理する画像データのフレーム数を減らすことができ、前述した実施形態と同様に、編集作業の工程および作業時間を短縮することができる。
【０１６２】
以上、図面を参照して本発明の実施形態について詳述してきたが、具体的な構成はこれらの実施の形態に限られるものではなく、この発明の要旨を逸脱しない範囲の設計変更等も含まれる。
【図面の簡単な説明】
【０１６３】
【図１】本発明の第１の実施形態による画像録画システムの構成を示すブロック図である。
【図２】同実施形態における画像データと画像特定情報との時間的な関連の様子を示す概略参考図である。
【図３】同実施形態による画像録画システムが画像データを記録する場合の動作を示すフローチャートである。
【図４】同実施形態による画像録画システムが画像データを編集する場合の動作を示すフローチャートである。
【図５】本発明の第２の実施形態による画像録画システムの構成を示すブロック図である。
【図６】同実施形態における画像データと画像評価情報との時間的な関連の様子を示す概略参考図である。
【図７】同実施形態による画像録画システムが画像データを記録する場合の動作を示すフローチャートである。
【図８】同実施形態による画像録画システムが画像データを編集する場合の動作を示すフローチャートである。
【図９】本発明の第３の実施形態による画像録画システムの構成を示すブロック図である。
【図１０】同実施形態における画像データと画像評価情報との時間的な関連の様子を示す概略参考図である。
【図１１】本発明の第４の実施形態による画像録画システムの構成を示すブロック図である。
【図１２】同実施形態による画像録画システムが画像の評価を行う場合の動作を示すフローチャートである。
【図１３】本発明の第５の実施形態による画像録画システムの構成を示すブロック図である。
【図１４】本発明の第６の実施形態による画像録画システムの構成を示すブロック図である。
【図１５】本発明の第７の実施形態において撮影された画像の画像データと、編集装置３に転送される画像データとの時間的な関連の様子を示す概略参考図である。
【符号の説明】
【０１６４】
１・・・デジタルカメラ、２・・・録画装置、３・・・編集装置、４・・・画像再生装置、１０・・・撮像部、１１・・・状態検出部、１２，２２，３２・・・インターフェース部、２０，３０・・・記録媒体、２１・・・主制御部、２２・・・インターフェース部、２３・・・時間管理部、２４・・・情報生成部、２５・・・画像評価結果入力部、２６・・・自動画像評価部、２７，３４・・・無線通信部、３１・・・制御部、３３・・・操作部
【図１】
2005323276.tif 000003
【図２】
2005323276.tif 000004
【図３】
2005323276.tif 000005
【図４】
2005323276.tif 000006
【図５】
2005323276.tif 000007
【図６】
2005323276.tif 000008
【図７】
2005323276.tif 000009
【図８】
2005323276.tif 000010
【図９】
2005323276.tif 000011
【図１０】
2005323276.tif 000012
【図１１】
2005323276.tif 000013
【図１２】
2005323276.tif 000014
【図１３】
2005323276.tif 000015
【図１４】
2005323276.tif 000016
【図１５】
2005323276.tif 000017